(57)【要約】【課題】狭小なスペースにおいて組み上げることができ、且つ組上げ後も地上での建築構造物へのアクセスを容易なものとする。【解決手段】建築構造物Ａの周囲に根柱１１を点在させた状態で設置し、隣り合う根柱１１どうしを根太材６１で連結して建築構造物Ａの下端部を包囲する下基枠６２を形成し、各根柱１１上に支柱１２をそれぞれ立設し、各支柱１２の上端部を屋根フレーム１３で連結して建築構造物Ａ全体を取り囲む中間構造体６０を形成した後、根太材１２を取り外す【選択図】図１
2008196126.tif 000002
【特許請求の範囲】
【請求項１】
建築構造物（Ａ）の周囲に根柱（１１）を点在させた状態で設置し、
隣り合う根柱（１１）どうしを根太材（６１）で連結して前記建築構造物（Ａ）の下端部を包囲する下基枠（６２）を形成し、
各根柱（１１）上に支柱（１２）をそれぞれ立設し、
各支柱（１２）の上端部を屋根フレーム（１３）で連結して前記建築構造物（Ａ）全体を取り囲む中間構造体（６０）を形成した後、
前記根太材（１２）を取り外すことを特徴とする仮設構造物の組上げ方法。
【請求項２】
前記屋根フレーム（１３）は、前記建築構造物（Ａ）の屋根面（Ｒ）の流れ方向に向けて延びる梁材（４０）と、該屋根面（Ｒ）の流れ方向とは垂直となる方向に延びる桁材（４１）とを備え、前記建築構造物（Ａ）を介して対向する前記支柱（３）を梁材（４０）により連結した後、前記建築構造物（Ａ）に沿って隣り合う前記支柱（３）の上端部を桁材（４１）により連結することを特徴とする請求項１に記載の仮設構造物の組上げ方法。
【請求項３】
前記根柱（１１）に取り付けられる支柱（３）を、長尺に形成された柱部材（１４）の一端部に前記屋根フレーム（１３）に連結可能な連結部材（２０）を設けることにより形成しておくことを特徴とする請求項１又は請求項２に記載の仮設構造物の組上げ方法。
【発明の詳細な説明】
【技術分野】
【０００１】
本発明は、建築構造物を取り囲んだ状態に組上げられる足場等の仮設構造物の組上げ方法に関するものである。
【背景技術】
【０００２】
この種の作業台として、枠組足場が知られている。一般に、枠組足場は、軸組となる複数の建枠と、作業床となる複数の布枠と、補強部材となるブレース等とにより主要部を構成している。
建枠は、２本の建地とこの建地の上端部間に設置された横地とから略門形（鳥居形）状に形成されたユニット材で、工事中の建築構造物の各面に所定間隔おきに建て付けられ、且つ、上下を差し込む等して複数段に組み上げられている。また、布枠は各段の建枠の横地間に架け渡されている。
【０００３】
枠組足場の組立てに際しては、建枠と布枠を一段一段上に順に組み上げ、解体に際しては一段一段上から下へ順に建枠と布枠を解体して撤去する（例えば特許文献１参照）。
【特許文献１】特開２００３−１２００１８号公報
【発明の開示】
【発明が解決しようとする課題】
【０００４】
しかしながら、上記枠組み足場の組立てにおいては、建築構造物の各面に対して順次建枠と布枠を組み上げていくこととなり、手間がかかるばかりでなく、各面の前方に広い作業スペースを必要とする問題があった。また、作業者の行き来の盛んな地上においても建築構造物の手前に足場が構築されているため、該足場を介さなければ建築構造物にアクセスすることができず、足場の存在により地上での作業を効率よく行うことが却って困難となってしまう問題もある。
そこで、本発明は、狭小なスペースにおいて組み上げることができ、且つ組上げ後も地上での建築構造物へのアクセスを容易なものとする仮設構造物の組上げ方法を提供するようにしたものである。
【課題を解決するための手段】
【０００５】
前記目的を達成するため、本発明においては以下の技術的手段を講じた。
即ち、本発明における課題解決のための技術的手段は、仮設構造物の組上げ方法において、建築構造物の周囲に根柱を点在させた状態で設置し、
隣り合う根柱どうしを根太材で連結して前記建築構造物の下端部を包囲する下基枠を形成し、
各根柱上に支柱をそれぞれ立設し、
各支柱の上端部を屋根フレームで連結して前記建築構造物全体を取り囲む中間構造体を形成した後、
前記根太材を取り外すことを特徴としている。
【０００６】
これによれば、先ず、建築構造物の下端部を取り囲んで下基枠が形成され、該下基枠上に支柱が立設されるので、各支柱が下基枠を介して連結されることとなる。したがって、下基枠と各支柱とからなる構造体が形成されることとなり、各支柱に対する支持強度を向上させることができる。そして、該構造体の支柱の上端部に屋根フレームが連結されて中間構造体が形成された後、下基枠を構成する根太材を取り外すと、支柱を屋根フレームにより連結してなる構造体が成立することとなり、これによって、各支柱及び屋根フレームは当該構造体として一体となって外力に抗するものとなるのである。
【０００７】
したがって、本発明に係る仮設構造物の組上げ方法によれば、支柱の組上げから仮設構造物の組上げ完了に至るまで、また、組上げが完成した後も、一定の強度を有する構造体として成立することとなり、各部材が該構造体として一体となって外力に抵抗することとなるので、仮設構造物としての強度を一定に維持することができるものとなる。
そして、根太材が根柱間から取り外されることにより、地上での建築構造物とその周囲の間の往復の際に障害がなくなり、作業者は地上にて容易に建築構造物とその周囲の間を往復することができるものとなるのである。
【０００８】
また、上記仮設構造物においては、建築構造物の周囲に複数の根柱を設置するスペースがあれば組み上げることができ、組上げのための作業スペースの狭小化を図ることができる。また、構成する部材も少なく、組上げに広大な作業領域を要することはない。
また、前記屋根フレームは、前記建築構造物の屋根面の流れ方向に向けて延びる梁材と、該屋根面の流れ方向とは垂直となる方向に延びる桁材とを備え、前記建築構造物を介して対向する前記支柱を梁材により連結した後、前記建築構造物に沿って隣り合う前記支柱の上端部を桁材により連結することが好ましい。
【０００９】
また、前記根柱に取り付けられる支柱を、長尺に形成された柱部材の一端部に前記屋根フレームに連結可能な連結部材を設けることにより形成しておくことが好ましい。これにより、容易に支柱に屋根フレームを連結することができるものとなる。
【発明の効果】
【００１０】
本発明の仮設構造物の組上げ方法によれば、狭小なスペースにおいて組み上げることができ、且つ組上げ後も地上での建築構造物へのアクセスを容易なものとなる。
【発明を実施するための最良の形態】
【００１１】
以下、本発明の実施の形態を図面に基いて説明する。
図１及び図２に示す如く、本発明に係る仮設構造物１は、複数個（本実施形態においては４個）の根柱１１と、各根柱１１上に立設された支柱１２と、これら複数の支柱１２の上端部を連結する屋根フレーム１３とを備えて構成されており、住宅や社寺等の建築構造物Ａを取り囲んでなる。
なお、本実施形態に係る仮設構造物１の組上げの対象となる建築構造物Ａは、四角形状の平面構成を有すると共に切妻状の屋根（屋根面）Ｒを有している。以下、建築構造物Ａの屋根Ｒの流れ方向を梁方向、該桁方向に垂直となる方向を桁方向という。
【００１２】
図４に示す如く、根柱１１は、立方体状に構成される６面のそれぞれに後述の柱部材１４を連結可能なテトラ材として形成されている。
根柱１１は、略立方体枠状に形成された本体２７と、該本体２７の六つの各面の四隅にそれぞれ固定された円板状の接合板２８とを備えている。
本体２７は、四辺の長さが等しい鋼製の板材よりなり、板内側に向けて切り欠いてなる側凹部を四辺中央部に備えた２枚のメインプレート２９と、２本の管材３０を平行に列べた状態で同一平面状に含み且つメインプレート２９と略同型に形成される２枚のサブプレート３１とを備えている。管材３０の両端部はメインプレート２９の隅部を貫通した状態で該メインプレート２９に溶着され、該両端部に接合板２８がそれぞれ固定されている。また、メインプレート２９及びサブプレート３１の四隅のコーナ凸部にも、それぞれ接合板２８が固定されている。
【００１３】
従って、根柱１１は、合計２４枚（６面×４枚）の接合板２８を備えている。また、各接合板２８には４つのボルト挿通孔２８ａが形成されている。
なお、メインプレート２９及びサブプレート３１の中央部には、作業ケーブル等の通し孔３１ａがそれぞれ設けられている。
また、支柱１２は、柱部材１４の一方の端部（本実施形態においては上端部）に連結部材２０を設けて構成されている。
柱部材１４は、図３に示す如く、互いに間隔をおいて平行に配置され且つ両端に接合フランジ１５を有する４本の弦材１６を備え、これら４本の弦材１６どうしを腹材１７で互いに連結することによって構成されている。
【００１４】
本実施形態において、腹材１７は、弦材１６に対して傾斜した斜材１８と、弦材１６に直交する直交材１９とからなり、これらの斜材１８及び直交材１９の両端は弦材１６の中途部に溶着されている。
弦材１６及び腹材１７は、いずれも断面が中空円形に形成された鋼製パイプよりなる。他方、接合フランジ１５は、弦材１６の外周から径外方向に突出する鋼製の円板によって形成されている。また、接合フランジ１５には、前記根柱１１の接合板２８のボルト挿通孔２８ａと対向する位置にボルト挿通孔１５ａが形成されている。これらボルト挿通孔１５ａ、２８ａにボルト等の締結具を挿通して締結することにより、柱材１４どうし又は柱材１４と根柱（テトラ材）１１とを連結することが可能となる。
【００１５】
なお、前記根柱１１の六つの各面における２本の管材３０の間隔及び４つの接合板２８間の間隔は、柱部材１４を構成する弦材１６の接合フランジ１５間の間隔と同じ寸法に設定されている。
また、連結部材２０は、上記根柱１１と同様の構成を有するテトラ材により構成されている。
図１及び図２に示す如く、屋根フレーム１３は、建築構造物Ａの梁方向（建築構造物Ａの屋根面Ｒの流れ方向）に向けて延びる梁材４０と、該建築構造物Ａの桁方向（建築構造物Ａの屋根面Ｒの流れ方向に垂直な方向）に延びる桁材４１と、梁材４０と支柱１２の間に介在して該支柱１２に対し梁材４０を傾斜させた状態に取り付け可能な梁角度調整部材４２と、一端部を支柱１２に連結された梁材４０の他端部どうしを連結するジョイント部材４３と、ジョイント部材４３どうしを連結する横架材４４とを有している。
【００１６】
梁材４０及び桁材４１は、図２に示す柱部材１４と同様の構成を有している。
図５に示す如く、梁角度調整部材４２は、支柱１２の連結部材２０の側部に対向する平板面４６と、該平板面４６に対向すると共に該平板面４６に対し傾斜している傾斜面４７とを有するブロック状に形成されている。平板面４６には、連結部材２０の接合板２８と対向する位置に取付板４８が配備されている。傾斜面４７には、梁材４０の接合フランジと対向する位置に取付板４８が配備されている。これら取付板４８にも、柱部材１４の接合フランジ１５と同様にボルト挿通孔４８ａが形成されている。
【００１７】
ジョイント部材４３は、一対の大屈曲部材４９と一対の小屈曲部材５０とを備え、これら一対の大屈曲部材４９と小屈曲部材５０とを互いに平行とした状態で複数の直交材５１により連結して構成されている。また、これら各大屈曲部材４９及び小屈曲部材５０の両端部にも接合フランジ５１が取り付けられている。また、これら接合フランジ５１が取り付けられる面と直交する一側面には、図２に示す如く、接合フランジ５１を有する取付部５２が突設されている。なお、これら接合フランジ５１にも、柱部材１４の接合フランジ１５と同様にボルト挿通孔５１ａが形成されている。
【００１８】
横架材４４は、４本の弦材の間隔（配置構成）をジョイント部材４３に合わせた以外は柱部材１４と同じ構成を有しており、該横架材４４の両端部の接合フランジ１５にもボルト挿通孔１５ａが形成されており、ボルト等の締結具を介してジョイント部材４３の取付部５２の接合フランジ５１に接合可能とされている。
また、本実施形態の仮設構造物１は、図８（ａ）〜（ｃ）に示す中間構造体６０を経て組み上げられる。該中間構造体６０は、根柱１１を根太材６１により連結した下基枠６２を備えている。
【００１９】
なお、根太材６１は上記柱部材１４と同じ構成を有している。
続いて、仮設構造物１を組み上げていく方法について説明する。
図６（ａ）〜（ｃ）に示す如く、建築構造物Ａの周囲に根柱１１を配備する。本実施形態においては、建築構造物Ａが四角形状の平面構成であるので、各頂部に対向する位置に根柱１１を配備することとしている。
次に、隣り合う根柱１１どうしを根太材６１により連結する。これにより、根柱１１を根太材６１により連結してなる下基枠６２が形成され、該下基枠６２により建築構造物Ａの下端部が包囲される。本実施形態においては、桁方向に列ぶ根柱１１を２本の根太材６１を長尺方向に連結した長尺部材により連結している。これらの連結は、根太材６１の接合フランジ１５と根柱１１の接合板２８とを重ね合わせ、接合フランジ１５のボルト挿通孔１５ａと接合板２８のボルト挿通孔２８ａにボルト等の挿通させて締結することにより、また、根太材６１の接合フランジ１５どうしを重ね合わせ、これら接合フランジ１５のボルト挿通孔１５ａにボルト等の締結具を挿通して締結することにより行われる。以下の各部材間の連結おいても同様の方法により連結される（図４及び図５参照）。
【００２０】
次に、図７（ａ）〜（ｃ）に示す如く、各根柱１１の上端部に支柱１２を立設する。
なお、支柱１２は、前もって柱部材１４の一端部に連結部材２０を連結することによって組み上げておくことが好ましいが、下基枠６２に柱部材１４を立設し、該柱部材１４の上端部に連結部材２０を取り付けることも可能である。
次に、図８（ａ）〜（ｃ）に示す如く、梁方向に対向する支柱１２の上端部を屋根フレーム１３の一対の梁角度調整部材４２、一対の梁材４０及びジョイント部材４４によって連結する。
【００２１】
ここで、梁材４０の支柱１２への取付けは、傾斜面４７を上方に向けた梁角度調整部材４２を各支柱１２の連結部材２０に取り付け、該梁角度調整部材４２に梁材４０の一端部を連結し、該梁材４０の他端部どうしをジョイント部材４３により連結することによってなされる。また、前もって地上にて組上げてジョイント部材４４に一対の梁材４０を取り付けて屋根構成体を形成しておき、各支柱１２の連結部材２０に梁角度調整部材４２を取り付けた後に、屋根形成体をクレーンにより持ち上げ、該屋根構成体の梁材４０を梁角度調整部材４２にそれぞれ取り付けることとしても構わない。
【００２２】
そして、図９（ａ）〜（ｃ）に示す如く、桁方向に対向する支柱１２の上端部どうしを桁材４１により連結する。
これにより、支柱１２と屋根フレーム１３からなるラーメン構造の下端部を基枠により連結してなるきわめて安定な構造を各立面において形成する中間構造体６０が形成されることとなる。
その後、図１０（ａ）〜（ｃ）に示す如く、下基枠６２の各根太材６１を取り外し、これによって、建築構造物Ａを取り囲む仮設構造物１の組上げが完了する。
【００２３】
なお、図１に示す如く、屋根フレーム１３の各梁材４０及び桁材４１に亘ってシート等の屋根面構成部材７０を被せることにより屋根面を構成することも可能である。これにより、建築構造物Ａへの降水や日射を防ぐことができるものとなる。
本実施の形態によれば、先ず、建築構造物Ａの下端部を取り囲んで下基枠６２が形成され、該下基枠６２上に支柱１２が立設されるので、各支柱１２が下基枠６２を介して連結されることとなる。したがって、下基枠６２と各支柱１２とからなる構造体が形成されることとなり、各支柱１２に対する支持強度が向上するものとなる。
【００２４】
そして、該構造体の支柱１２の上端部に屋根フレーム１３が連結されて中間構造体６０が形成されることにより、各支柱１２は屋根フレーム１３を介してもそれぞれ連結されることとなる。これにより、その後に下基枠６２を構成する根太材６１を取り外す場合にも、前記構造体が解消される一方、支柱１２を屋根フレーム１３により連結してなる新たな構造体が成立することとなり、各支柱１２及び屋根フレーム１３は当該構造体として一体となって外力に抗するものとなるのである。
したがって、本実施形態の仮設構造物１の組上げ方法によれば、支柱１２の組上げから仮設構造物１の組み上げ完了に至るまで、また、組上げが完成した後も、一定の強度を有する構造体として成立することとなり、該構造体として外力に抵抗することとなるので、仮設構造物１としての強度を一定に維持する。
【００２５】
そして、この様に支柱１２と屋根フレーム１３とによって仮設構造物１としての強度を有する構造体が構成されるからこそ、上述の如く根太材６１を取り外すことができるのである。そして、根太材６１を根柱１１から取り外して建築構造物Ａの下端部を開放状とすることにより、地上での建築構造物Ａへのアクセスの妨げとなる障害が除去され、作業者は容易に建築構造物Ａにアクセスすることができる。
また、上記仮設構造物１は、長尺な部材を連結することにより形成されるので、建築構造物Ａの周囲に複数の根柱１１を設置する狭小なスペースがあれば組み上げることができる。
【００２６】
したがって、本実施形態の組上げ方法によれば、周囲に十分な作業領域を確保できない崖際に建築構造物Ａが建設されている場合や、仮設構造物１の組上げの対象となる建築構造物Ａと当該建築構造物Ａに隣接する他の建築構造物Ａとの間に狭小なスペースしか確保できない場合であっても、この様な狭小なスペースに仮設構造物１が組み上げられるものとなるのである。
また、構成する部材も少なく、組上げに広大な作業領域を要することはない。
以上、本発明の実施の形態を詳述したが、本発明は上記の実施の形態に限定されるものではない。
【００２７】
例えば、根柱１１の数や梁材４０、桁材４１の長さは建築構造物Ａの大きさによって適宜変更が可能である。また、また、各部材間にワイヤ等を張設する構成を採用することも可能である。
また、屋根フレーム１３の構成は、建築構造物Ａの屋根面Ｒの形状に応じて適宜変更可能であり、アーチ状、片流れ状、入母屋状等に形成することも可能である。また、建築構造物Ａの屋根面Ｒの勾配に合わせて梁材４０の傾斜角度を可変とすべく、梁角度調整部材４２の傾斜面４７をジャッキや油圧シリンダ等によって平板面４６に対して傾斜角度調整自在とすることも可能である。
【図面の簡単な説明】
【００２８】
【図１】本発明に係る仮設構造物の正面図である。
【図２】仮設構造物の側面図である。
【図３】柱部材の側面図である
【図４】根柱と根太材及び柱部材の連結状態を示す平面図である。
【図５】屋根フレームの連結状態を示す正面図である
【図６】（ａ）は仮設構造物の第１の組上げ工程を示す正面図であり、（ｂ）はその平面図であり、（ｃ）はその側面図である。
【図７】（ａ）は仮設構造物の第２の組上げ工程を示す正面図であり、（ｂ）はその平面図であり、（ｃ）はその側面図である。
【図８】（ａ）は仮設構造物の第３の組上げ工程を示す正面図であり、（ｂ）はその平面図であり、（ｃ）はその側面図である。
【図９】（ａ）は仮設構造物の第４の組上げ工程を示す正面図であり、（ｂ）はその平面図であり、（ｃ）はその側面図である。
【図１０】（ａ）は仮設構造物の第５の組上げ工程を示す正面図であり、（ｂ）はその平面図であり、（ｃ）はその側面図である。
【符号の説明】
【００２９】
１    仮設構造物
１１  根柱
１２  支柱
１３  屋根フレーム
１４  柱部材
２０  連結部材
４０  梁材
４１  桁材
４２  梁角度調整部材
４３  ジョイント部材
６０  中間構造体
６１  根太材
６２  下基枠
Ａ    建築構造物
【図１】
2008196126.tif 000003
【図２】
2008196126.tif 000004
【図３】
2008196126.tif 000005
【図４】
2008196126.tif 000006
【図５】
2008196126.tif 000007
【図６】
2008196126.tif 000008
【図７】
2008196126.tif 000009
【図８】
2008196126.tif 000010
【図９】
2008196126.tif 000011
【図１０】
2008196126.tif 000012